(57)【要約】【課題】  競技審判の裁定状態の認識性を向上させ、誤審などを削減可能な着順表示装置及び着順表示制御装置を実現する。【解決手段】  裁定色決定テーブル１１１には、裁定表示部、着順表示部及び着番表示部の「未確定」、「審議」、「確定」、「着変確定」の各裁定状態での背景色が格納されている。裁定色決定部１０２は、キーボード９０から入力される裁定データと裁定色決定テーブル１１１を基に、着順モニタ１３０の裁定表示部、着順表示部及び着番表示部の背景色を決定する。裁定編集部１０３、着順編集部１０４及び着番編集部１０６は、裁定色決定部１０２から当該背景色情報を入力し、裁定表示部、着順表示部及び着番表示部の表示データを作成する。着順モニタ画像編集部１０７は、これらの表示データと固定画面ファイル１１３内の固定画面表示データを基に着順モニタ１３０の画像データを作成する。この画像データは、着順モニタ画像出力部１０８、ビデオＲＡＭ１２１を介して着順モニタ１３０に出力され、着順モニタ１３０に競技審判用の監視画面が表示される。【選択図】図２
2006115879.tif 000002
【特許請求の範囲】
【請求項１】
少なくとも、レースの裁定情報とレース中もしくはレース後の順位情報を表示するレース情報表示装置であって、
レースに係わる各裁定状態に対応する背景色を登録している第１のテーブルと、
該第１のテーブルを参照して、現在有効となっている裁定状態の表記を、その裁定状態に対応する背景色を背景として第１の表示手段と、
レース中またはレース後の順位情報を、現在有効となっている裁定状態の背景色と同一色の背景で表示する第2の表示手段と、
を備えることを特徴とするレース情報表示装置。
【請求項２】
請求項１記載のレース情報表示装置であって、
前記第１のテーブルを参照して、順位記号を、現在有効表示となっている裁定状態に対応する背景色を背景として表示する第3の表示手段を、
さらに備えることを特徴とする。
【請求項３】
請求項１または２記載のレース情報表示装置であって、
出走者の発走枠に関する枠情報を記憶している記憶手段と、
該各発走枠に割り当てられた枠色を登録している第２のテーブルと、
前記順位情報を表示する際、該第２のテーブルと前記記憶手段を参照して、各順位の出走者の表記を、該出走者の発走枠に割り当てられた枠色を背景にして表示する第４の表示手段を、
さらに備えることを特徴とする。
【請求項４】
少なくとも、レースの裁定情報とレース中もしくはレース後の順位情報を表示するレース情報表示装置の表示を制御する表示制御装置であって、
レースに係わる各裁定状態に対応する背景色を登録している第１のテーブルと、
該第１のテーブルを参照して、現在有効となっている裁定状態の表記が、その裁定状態に対応する背景色を背景として表示されるように制御する第１の制御手段と、
レース中またはレース後の順位情報が、現在有効となっている裁定状態の背景色と同一色の背景で表示されるように制御する第2の制御手段と、
を備えることを特徴とする表示制御装置。
【請求項５】
請求項１記載の表示制御装置であって、
前記第１のテーブルを参照して、順位記号が、現在有効表示となっている裁定状態に対応する背景色を背景として表示されるように制御する第3の制御手段を、
さらに備えることを特徴とする。
【請求項６】
請求項１または２記載の表示制御装置であって、
出走者の発走枠に関する枠情報を記憶している記憶手段と、
該各発走枠に割り当てられた枠色を登録している第２のテーブルと、
前記順位情報を表示する際、該第２のテーブルと前記記憶手段を参照して、各順位の出走者の表記が、該出走者の発走枠に割り当てられた枠色を背景にして表示されるように制御する第４の制御手段を、
さらに備えることを特徴とする。
【発明の詳細な説明】
【技術分野】
【０００１】
本発明は、レース情報を表示するレース情報表示装置及びその表示制御装置に係り、特に競技審判がレース中またはレース後の順位を確認するために好適なレース情報表示装置及びその表示制御装置に関する。
【背景技術】
【０００２】
競馬、競輪、競艇、オートレースなどの公営競技においては、競技運営者はレース結果に応じてレースに投票したファンに対して払戻金を支払う義務がある。レースの投票には各種方式があるが、当選の基となるのはレースの着番である。一般に、レースの競技審判は複数おり、各競技審判がレースを監視しながら最終的にレース結果を決定している。
【０００３】
例えば、競馬の場合には、決勝審判室、裁決室及び検量室があり、それらの各室に審判員などが配置されている。上記３つの室の内、裁決室以外には着順モニタと呼ばれる表示装置が配備されている。
【０００４】
図３９は、上記着順モニタの外観図である。
同図に示すように、着順モニタ３００は、レースＮｏ．表示部３０１、裁定部３０２（確定ランプ３０２ａ、審議ランプ３０２ｂ、着変確定ランプ３０２ｃ）、着順部３０３及び着番表示部３０４を備えている。
【０００５】
レースＮｏ．表示部３０１はレース番号を表示する表示部であり、２桁表示のセグメント表示装置である。
裁定部３０２は、確定ランプ３０２ａ、審議ランプ３０２ｂ及び着変確定ランプ３０２ｃの3個のランプから構成されており、「確定」、「審議」及び「着変確定」という３種類の裁定状態を提示する。確定ランプ３０２ａは、ゴール入着後に着順が「確定」した場合に点灯される。審議ランプ３０２ｂは、ゴール入着後に審議が発生した場合に点灯される。着変確定ランプ３０２ｃは、上記審議発生後に着順が確定した場合に点灯される。各ランプ３０２ａ、３０２ｂ、３０３ｃの上部には、それぞれ、「確定」、「審議」、「着変確定」という各ランプの点灯状態の意味する文字表記がある。
【０００６】
着順部３０３は、着番表示部３０４に表示される馬番の通過順位やゴール後の着順を示すもので、１着（１位）〜５着（５位）までの各順位を、「Ｉ」〜「Ｖ」のローマ数字で提示する。
【０００７】
着番表示部３０４は、レース中及びゴール後の順位を馬番により表示するもので、レース中は１着〜３着までの馬番（着番）を、ゴール後には１着〜５着までの馬番（着番）を表示する。このため、着番表示部３０４には、１着〜５着までの各順位の馬番を表示する５個のユニット３０４−１〜３０４−６が設けられている。これら各ユニット３０４−１〜３０４−６は、２桁表示のセグメント表示デバイスである。
【０００８】
着番表示部３０４に表示される着番は、決勝審判室に設けられた着順専用キーボード（不図示）から入力される。レース中に決勝審判室に控えている複数の競技審判は、着順モニタ３００の表示を監視しており、レースが終了すると着番表示部３０４に表示される着番が正しいか確認する。そして、着番が正しければ、その旨を検量室の競技審判に電話で伝える。
【０００９】
検量室では、レース終了後に１着〜５着の馬について検量検査（斤量チェック）を行う。そして、検量室の競技審判は、１着から５着の全ての馬が検量検査にパスしており、かつ決勝審判室の競技審判から上記着順確認の電話連絡を受け取ると、検量室内の確定審議専用キーボード（不図示）から着順確定の入力を行う。
【００１０】
これにより、着順モニタ３００の確定ランプ３０２ａまたは着変確定ランプ３００ｃが点灯される。競技審判全員はその点灯を確認すると、着順モニタ３００の着順表示・裁定表示を正式決定とし、決勝審判室内の発信操作専用キーボード（不図示）から発信操作を行う。この結果、競技場の屋外に設置された着順表示盤に公式発表の着番が表示され、ファンはレースの着番が確定されたことを知る。
【００１１】
上記競技審判向けの従来の着順モニタ３００においては、着番表示部３０４では１着から５着までの馬番（着番）が単一色で表示されていた。また、確定ランプ３０２ａ、審議ランプ３０２ｂ及び着変確定ランプ３０２ｃの点灯色も単一であった。このため、着番表示部３０４に表示される着番表示だけでは、その着番が「確定」、「審議」または「着変確定」のいずれの状況のものであるかを知ることはできす、３個のランプ３０２ａ〜３０２ｃの点灯状態を確認する必要があった。
【００１２】
このため、競技審判が認識ミスをして、まだ着番が正式に確定しないにも関わらず、屋外のファン用の着順表示盤に未確定の着番を「確定」として表示したりする問題が発生していた。また、ランプ３０２ａと着番表示部３０４の着番表示の両方を見る必要があるため、着番を正式決定するまでに時間を要するという問題も抱えていた。
【００１３】
公営競技においては、レースの着順はファンへの払戻金に直結するので非常に重要な情報であり、競技審判による着番の（キーボードによる）誤入力、誤表示は大きな問題を引き起こす。また、着順表示盤への着番表示・確定が遅れることは、ファンサービスとして好ましいものではなかった。
【００１４】
ところで、本発明に技術的に近い先行技術文献としては、特許第３４４３８３８号の特許公報（特許文献１）がある。しかしながら、この特許文献１に開示されている発明は、競技場の屋外に設置されるファン向けの着番表示装置及び着番表示制御装置であり、対象となるユーザーが異なる。また、表示対象も、レース成立後の裁定結果や着順表示であり、レース中における裁定情報（裁定状態）や順位は表示対象となっていない。
【特許文献１】特許第３４４３８３８号特許公報
【発明の開示】
【発明が解決しようとする課題】
【００１５】
本発明の目的は、競技審判がレース中の通過順位やレース後の着順を確実・迅速に確認できる着順モニタを提供することである。
【課題を解決するための手段】
【００１６】
本発明のレース情報表示装置は、少なくとも、レースの裁定情報とレース中もしくはレース後の順位情報を表示するレース情報表示装置を前提とする。
本発明の第一態様のレース情報表示装置は、レースに係わる各裁定状態に対応する背景色を登録している第１のテーブルと、該第１のテーブルを参照して、現在有効となっている裁定状態の表記を、その裁定状態に対応する背景色を背景として第1の表示手段と、レース中またはレース後の順位情報を、現在有効となっている裁定状態の背景色と同一色の背景で表示する第２の表示手段と、を備えることを特徴とする。
【００１７】
本発明の第二態様のレース情報表示装置は、上記第一態様のレース情報表示装置が備える手段に加え、さらに、前記第１のテーブルを参照して、順位記号を、現在有効表示となっている裁定状態に対応する背景色を背景として表示する第３の表示手段を、備えることを特徴とする。
【００１８】
本発明の第三態様のレース情報表示装置は、上記第一態様のレース情報表示装置または上記第二態様のレース情報表示装置が備える手段に加え、さらに、出走者の発走枠に関する枠情報を記憶している記憶手段と、該各発走枠に割り当てられた枠色を登録している第２のテーブルと、前記順位情報を表示する際、該第２のテーブルと前記記憶手段を参照して、各順位の出走者の表記を、該出走者の発走枠に割り当てられた枠色を背景にして表示する第４の表示手段を、備えることを特徴とする。
【００１９】
本発明の表示制御装置は、少なくとも、レースの裁定情報とレース中もしくはレース後の順位情報を表示するレース情報表示装置の表示を制御する表示制御装置を前提とする。
本発明の第一態様の表示制御装置は、レースに係わる各裁定状態に対応する背景色を登録している第１のテーブルと、該第１のテーブルを参照して、現在有効となっている裁定状態の表記が、その裁定状態に対応する背景色を背景として表示されるように制御する第１の制御手段と、レース中またはレース後の順位情報が、現在有効となっている裁定状態の背景色と同一色の背景で表示されるように制御する第２の制御手段と、を備えることを特徴とする。
【００２０】
本発明の第二態様の表示制御装置は、上記第一態様の表示制御装置が備える手段に加え、前記第１のテーブルを参照して、順位記号が、現在有効表示となっている裁定状態に対応する背景色を背景として表示されるように制御する第3の制御手段を、さらに備えることを特徴とする。
【００２１】
本発明の第三態様の表示制御装置は、上記第一態様の表示制御装置または上記第二態様の表示制御装置が備える手段に加え、さらに、出走者の発走枠に関する枠情報を記憶している記憶手段と、該各発走枠に割り当てられた枠色を登録している第２のテーブルと、前記順位情報を表示する際、該第２のテーブルと前記記憶手段を参照して、各順位の出走者の表記が、該出走者の発走枠に割り当てられた枠色を背景にして表示されるように制御する第４の制御手段を、備えることを特徴とする。
【発明の効果】
【００２２】
本発明によれば、競技審判用の着順モニタ等のレース情報表示画面において、現在有効となっている裁定表記の背景を予め定められた色（背景色）で表示し、着順表記及び着順情報（着番情報）の背景も、その現在有効となっている裁定表記の背景色と同一の色で表示する。このため、競技審判は、裁定表記の表示状態だけでなく、着順表記の背景の色や着番情報の背景の色によっても現在の裁定状態を認識することが可能となる。したがって、レース情報の視認性が向上し、競技審判によるレース情報の確認ミスを少なくできると共に、その確認時間を短縮することが可能となる。
【発明を実施するための最良の形態】
【００２３】
以下、図面を参照しながら、本発明の実施形態を説明する。以下に説明する実施形態は、本発明を競馬場の管理・運営システムに適用したものである。
図１は、本発明の一実施形態である競馬場管理・運営システムの構成を示すブロック図である。同図に示すように、競馬場管理・運営システムは、計算機室１０、決勝審判室２０、裁決室５０及び検量室６０を備えている。上記各室はＬＡＮ（ローカルエリアネットワーク）７０で相互に接続されている。
【００２４】
計算機室１０は、センターシステム１１と着順制御ユニット１２を備えている。
センターシステム１１は、システム全体を制御するコンピュータであり記憶装置１１ａに枠番情報１３を格納している。センターシステム１１は、着順制御装置１５を介して決勝審判室２０から送信される着順データ（着順情報）を受信し、払戻金の計算や他室へのデータ（枠番情報１３など）提供を行う。
【００２５】
枠番情報１３の例を図２に示す。同図に示すように、枠番情報１３は、競馬場で催される各レース（同図の例では、１レースから１２レースまで）について、「レース番号」、「枠番」及び「馬番」の各項目の情報を有している。レース番号は、各レースの識別番号であり、レース順に従い、１から順にシリアルな正の整数の番号が割り当てられる（例えば、１レースの場合のレース番号は“１”である）。
【００２６】
枠番は、レース枠に振り当てられた番号である。各枠は、一般に２頭である。
馬番は、各レースの出走馬の識別番号であり、コースに従って、１から始まる連続番号が割り当てられる。
【００２７】
着順制御装置１５は、計算機室１０と決勝審判室２０、裁決室５０及び検量室６０の各室との間で授受されるデータの通信などを制御する。計算機室１０のセンターシステム１１は、着順制御装置１５を介して決勝審判室２０、裁決室５０及び検量室６０に設けられた着順モニタに表示データに送信する。また、着順制御装置１５を介して、それらの各室に設けられたキーボードから入力された情報やデータを受け取る。また、図１では図示されていない屋外表示盤（屋外に設置されたファンが見る表示盤）へのレース情報への表示指示なども行う。
【００２８】
決勝審判室２０は、着順専用キーボード２１、通過順位専用キーボード２２及び発信操作専用キーボード２３を備えている。また、これらの各キーボード２１〜２３に接続された制御ユニット３０（３０−１）〜３０（３０−３）、更には、それら各制御ユニット３０−１〜３０−３に接続された着順モニタ４０（４０−１）〜４０（４０−３）を備えている。
【００２９】
着順専用キーボード２１は、レース終了後（ゴール入着後）の着順データ（１着から５着までの馬番）を入力するためのキーボードである。通過順位専用キーボード２２は、レース中の通過順位データ（本実施形態では１位から３位までの馬番）を入力するためのキーボードである。着順専用キーボード２１で入力された着順データ及び通過順位専用キーボード２２で入力された通過順位データは、決勝審判室２０内の全ての制御ユニット３０（３０−１〜３０−３）に送られ、それらに接続された着順モニタ４０（４０−１〜４０−３）に画面表示される。
【００３０】
発信操作専用キーボード２３は、着順専用キーボード２１から入力された１着から５着までの馬番（着番）の発信指示を行うためのキーボードである。発信操作専用キーボード２３は、該発信指示を行うための発信ボタンを備えている。ゴール入着後または「審議」発生後の「着変確定」により着順入力や着順修正が行われたとき、競技審判は、着順モニタ４０−３に表示される「１着から５着までの馬番」（着順）を確認してから、発信操作専用キーボード２３の発信ボタンを操作して該着順の発信指示を行う。この発信指示は、ＬＡＮ７０を介して計算機室１０の着順制御装置１５に通知され、さらに着順制御装置１５を介してセンターシステム１１へ送られる。そして、最終的に、着順制御装置１５の制御により屋外表示盤に上記着順入力または上記着順修正された着順が表示される。
【００３１】
上記３つのキーボード２１〜２３は、それぞれ、個別の制御ユニット３０―１〜３０−３に接続されている。そして、これらの制御ユニット３０―１〜３０−３も、個別の着順モニタ４０−１〜４０−３に接続されている。
【００３２】
このように、決勝審判室には、（キーボード２０、制御ユニット３０、着順モニタ４０）の３個のデバイスで構成される３個のサブブロックが設けられる。これは、各キーボード２０の入力結果を専用の着順モニタ４０で確認できるようにするためである。
【００３３】
制御ユニット３０―１は、着順専用キーボード２１から入力された「レースＮｏ．」や「着順データ（以後、「着番データ」と表現する場合もある）」を入力し、それらをＬＡＮ７０に出力する。また、発信操作専用キーボード２３から入力された裁定情報（「審議」）、通過順位専用キーボード２２から入力された「通過順位データ」、検量室６０の確定審議専用キーボード６１から出力された裁定情報（「審議」、「確定」または「着変確定」）をＬＡＮ７０から取り込む。そして、それらの入力情報や入力データを基に、着順モニタ４０−１にレース中の通過順やゴール入着後の着順、さらには裁定情報などを表示させる。
【００３４】
制御ユニット３０―２は、通過順位専用キーボード２２から入力される「通過順位データ」をＬＡＮ７０に出力する。また、着順専用キーボード２１から入力された「レースＮｏ．」や「着順データ」、裁決室５０の審議操作専用キーボード５１から入力された裁定情報（「審議」）、及び検量室６０の確定審議専用キーボード６１から入力された裁定情報（「審議」、「確定」または「着変確定」）をＬＡＮ７０から取り込み、着順モニタ３０−２にレース中の通過順位やゴール入着後の着順、さたには審議情報を表示させる。
【００３５】
制御ユニット３０―３は、裁決室５０の審議操作専用キーボード５１と専用回線８０で接続されており、その専用回線８０を介して審議操作専用キーボード５１から入力された裁定情報（「審議」）を受信する。また、着順専用キーボード２１から入力された「レースＮｏ．」や「着順データ」、通過順位専用キーボード２２から入力された「通過順位データ」、検量室６０の確定審議専用キーボード６１から入力された裁定情報（「確定」または「着変確定」）をＬＡＮ７０から取り込む。そして、着順モニタ３０−３にレースの通過順位やゴール入着後の着順、さらには裁定情報を表示させる。
【００３６】
裁決室５０は、審議操作専用キーボード５１を備えている。
審議操作専用キーボード５１は、レース中またはゴール入着後に審議が発生した場合に、裁定情報として「審議」を入力するためのキーボードである。
検量室６０は、確定審議専用キーボード６１、制御ユニット６２及び着順モニタ６３を備えている。
【００３７】
確定審議専用キーボード６１は、ゴール入着後において、「審議」、「確定」または「着変確定」の裁定情報を入力するためのキーボードである。制御ユニット６２は、確定審議専用キーボード６１から入力された上記裁定情報をＬＡＮ７０に出力する。また、制御ユニット６２は、ＬＡＮ７０を介して決勝審判室２０から出力された「レースＮｏ．」、「裁定情報」及び「着順データ」を取り込み、それらを着順モニタ６３に表示させる。着順モニタ６３は、レース中の通過順位やゴール入着後の着順、さらには裁定情報を表示するディスプレイである。
【実施例１】
【００３８】
本発明の実施例１について、説明する。
図３は、図１の決勝審判室２０の制御ユニット３０及び検量室６０の制御ユニット６２の実施例１におけるシステム構成を示すブロック図である。尚、図３ではＬＡＮ７０を省略している。
【００３９】
同図において、キーボード９０は、図３の決勝審判室２０のキーボード２１〜２３、裁決室５０の審議操作専用キーボード５１、及び検量室６０の確定審議専用キーボード６１を表している。制御ユニット１００は、図３の決勝審判室２０の制御ユニット３０―１〜３−３及び決勝審判室６０の制御ユニット６２を表している。また、着順モニタ１３０は、図３の決勝審判室２０の着順モニタ４０−１〜４０−３及び決勝審判室６０の着順モニタ６３を表している。
【００４０】
キーボード９０からは、「レースＮｏ．」、順位情報（「通過順位データ」、「着順データ」）及び「裁定情報」（「確定」、「審議」、「着変確定」）が制御ユニット１００に入力される。
【００４１】
制御ユニット１００は、レースＮｏ．編集部１０１、裁定色決定部１０２、裁定編集部１０３、着順編集部１０４、着番編集部１０６、着番モニタ画像編集部１０７、着順モニタ画像出力部、１０８、裁定色決定テーブル１１１（１１１−１）、固定画面ファイル１１３及びビデオＲＡＭ１２１を備えている。
【００４２】
レースＮｏ．編集部１０１は、キーボード９０から入力されるレースＮｏ．情報を基に着順モニタ１３０に表示されるレースＮｏ．の表示データを編集し、それを着順モニタ画像編集部１０７に出力する。
【００４３】
裁定色決定部１０２は、キーボード９０から入力される裁定情報により裁定色決定テーブル１１１を参照して、着順モニタ１３０に表示される裁定情報（「確定」、「審議」、「着変確定」）の色を決定する。
【００４４】
図４は、実施例１の裁定色決定テーブル１１１（１１１−１）の構成を示す図である。
同図に示すように、裁定色決定テーブル１１１−１には「裁定」の４種類の状態（「未確定」、「審議」、「確定」、「着変確定」）に対応する着順モニタ１３０の裁定部の背景色（「裁定部背景」）、着順表示部２２０の背景色（「着順部背景」））及び着番表示部２３０の背景色（「着番表示部背景」）が登録されている。
【００４５】
この裁定色決定テーブル１１１−１の場合には、「裁定部背景」、「着順背景」及び「着番表示部背景」の色は、「未確定」の場合は水色、「審議」の場合は青色、「確定」の場合は赤色、「着変確定」の場合は橙色となっており、「裁定部背景」、「着順部背景」及び「着番表示部背景」が同一の色に設定されている。このためと、着順モニタ１３０の表示において、裁定部、着順部及び着番表示部の背景が同一色となる。したがって、競技審判は、各裁定に対応した背景色を記憶していれば、裁定部の表示を見なくても、着番表示部の背景色を見ただけで、着番表示部に表示されている着順がいかなる裁定状態のものであるかを容易に判断できる。また、裁定部、着順部及び着番表示部の背景色が同一なので、裁定部、着順部または着番表示部の背景色により「裁定結果」を判断できる。このため、裁定の判断ミスが少なくなる。
【００４６】
裁定編集部１０３は、裁定色決定部１０２から裁定情報と裁定部の背景色情報を受け取り、これらの情報を基に着順モニタ１３０の裁定部に表示する表示データを編集し、その表示データを着順モニタ画像編集部１０７に出力する。
【００４７】
着順編集部１０４は、裁定色決定部１０２から着順部の背景色情報を受け取り、着順モニタ１３０に表示する着順部の表示データを編集し、その表示データを着順モニタ画像編集部１０７に出力する。
【００４８】
着番編集部１０６は、裁定色決定部１０２から裁定情報を受け取る。そして、着順モニタ１３０の着番表示部に表示する表示データを編集し、その表示データを着順モニタ画像編集部１０７に出力する。
【００４９】
着順モニタ画像編集部１０７は、レースＮｏ．編集部１０１、裁定編集部１０３、着順編集部１０４及び着番編集部１０６から上記各表示データを受け取る。そして、固定画面ファイル１１３から着順モニタ１３０の固定表示データを読み出して、着順モニタ１３０に表示する全画面の表示データを編集し、その全画面表示データを着順モニタ画像出力部１０８に出力する。
【００５０】
図５は、固定画面ファイル１１３の構成を示す図である。
固定画面ファイル１１３は、着順モニタ１３０に固定表示されるデータを格納しているファイルであり、図５に示すように、「レース」、「確定」、「審議」、「着変確定」、「Ｉ」〜「Ｖ」などの文字データや、後述する裁定表示部２１０、着順表示部２２０及び着番表示部２３０の各表示領域の矩形枠表示データなどを、着順モニタ１３０の画面表示と同様なフォーマットで格納している。
【００５１】
着順モニタ画像出力部１０８は、着順モニタ画像編集部１０７から受け取る上記全画面表示データを着順モニタ１３０のビットマップ画像データに展開し、そのビットマップ画像データをビデオＲＡＭ１２１に書き込む。
【００５２】
ビデオＲＡＭ１２１に書き込まれたビットマップ画像データは、例えば、不図示のＤＡＣ（デジタル／アナログ変換器）によりアナログのＲＧＢ信号に変換されて着順モニタ１３０に出力される。これにより、着順モニタ１３０には「レースＮｏ．」、「裁定部」、「着順部」及び「着番表示部」などで構成される監視画面が表示される。
【００５３】
図６は、着順モニタ１３０に表示される本実施形態の監視画面の形式を示す図である。
同図に示すように、監視画面２００は、レースＮｏ．表示部２０１、裁定表示部２１０、着順表示部２２０及び着番表示部２３０で構成されている。
【００５４】
レースＮｏ．表示部２０１は画面の左上に配置されており、「レース」（固定表示）と可変表示である「レース番号」（図中では“１”）を表示する。
裁定表示部２１０は画面上半分の中央に配置されており、矩形の表示領域ａ１〜ａ３を有する。表示領域ａ１〜ａ３には、それぞれ、「確定」、「審議」、「着変確定」という各裁定名を示す文字（便宜上、裁定表現と記載する）が矩形枠で囲んで表示される。これらの各裁定表現は固定表示であるが、背景の色は可変表示となっている。
【００５５】
着順表示部２２０は画面下半分のほぼ上方全体に配置されており、矩形の表示領域ｂ１〜ｂ５を有する。表示領域ｂ１〜ｂ５には、それぞれ、１位（１着）、２位（２着）、３位（３着）、４位（４着）、５位（５着）を示す「Ｉ」、「II」、「III」、「IV」、「Ｖ」のローマ数字が、矩形枠で囲まれて固定表示される。ｂ１〜ｂ５の各表示領域において、「Ｉ」〜「Ｖ」の各ローマ数字の背景色は裁定状態に応じて変化する。
【００５６】
着番表示部２３０は着順表示部２２０の下部に隣接して配置されており、矩形の表示領域ｃ１〜ｃ５を有する。表示領域ｃ１〜ｃ５には、レース中の通過順位（１位から３位までの馬番）またはレース終了後（ゴール入着後）の着順（１着から５着までの馬番）が表示される。また、ｃ１〜ｃ５の各表示領域においては、各馬番の背景は裁定状態に応じて変化する。
【００５７】
図７〜図１３を参照しながら、実施例１における着順モニタ１３０の表示動作（監視画面２００の表示形態）を説明する。
【００５８】
（ａ）レース中（通過順位）
図７は、レース中における着順モニタ１３０の第１の表示状態を示す図である。
レース中において、「審議」が発生しない間は裁定が「未確定」となり、「レースＮｏ．」と「１位〜３位までの通過順位」が有効データとなる。そして、この期間中、レースＮｏ．表示部２０１にはレース番号“１”が表示される。また、着順表示部２２０の「Ｉ」〜「III」の表示領域（ｂ１〜ｂ３）の背景と着番表示部２３０の１位（Ｉ）〜３位（III）の表示領域（ｃ１〜ｃ３）の背景が、共に、「未確定状態」を意味する“水色”で表示される。また、さらに、着番表示部２３０の「Ｉ」〜「III」に対応する領域（ｃ１〜ｃ３）には当該順位の馬番が表示される。
レース中に「審議」が発生しない場合には、ゴール直前に着番表示部２３０に表示されていた馬番の表示が消去され（このとき、裁定状態は「無効」となる）、後述する（ｃ）に遷移する。
【００５９】
（ｂ）レース中（審議）
図８は、レース中における着順モニタ１３０の第２の表示状態を示す図である。
レース中に「審議」が発生すると、裁定は「未確定」から「審議」に変化する。これに伴い、裁定表示部２１０の「審議」の表示領域（ａ２）の背景が「審議」を意味する“青色”となる。また、着順表示部２２０の全表示領域（ｂ１〜ｂ５）と着番表示部２３０の「Ｉ」〜「III」に対応する表示領域（ｃ１〜ｃ５）の表示が初期状態にリセットされる。このため、着番表示部２３０の表示領域ｃ１〜ｃ３に表示されていた１位〜３位の馬番も消去される。着順表示部２２０と着番表示部２３０の「Ｉ」〜「III」に対応する表示領域（ｂ１〜ｂ５及びｃ１〜ｃ５）の背景が「無効状態」を意味する“黒色”になる。
【００６０】
（ｃ）ゴール入着前
図９は、ゴール入着前の着順モニタ１３０の表示状態を示す図である。
ゴール直前には、通過順位の消去入力が行われ、着番表示部２３０の表示領域ｃ１〜ｃ３に表示されていた馬番は消去される。ゴール入着前は、「レースＮｏ．」だけが有効データとなり、裁定は「無効状態」となる。このため、裁定表示部２１０、着順表示部２２０及び着番表示部２３０の全表示領域（ａ１〜ａ３、ｂ１〜ｂ５、ｃ１〜ｃ５）の背景は「無効状態」を意味する“黒色”となる。
【００６１】
（ｄ）ゴール入着後（未確定）
図１０は、ゴール入着後における着順モニタ１３０の第１の表示状態を示す図である。
ゴール入着後（未確定）のときは、「レースＮｏ．」と「着番」が有効データとなる。このため、監視画面２００においては、レースＮｏ.表示部２０１に「レースＮｏ．」が表示され、着番表示部２３０の表示領域ｃ１〜ｃ５には、それぞれ、１着から５着までの各順位の馬番（着番）が表示される。また、着順表示部２２０と着番表示部２３０の各表示領域（ｂ１〜ｂ５及びｃ１〜ｃ５）の背景は、「未確定状態」意味する“水色”で表示される。
【００６２】
（ｅ）ゴール入着後（審議）
図１１は、ゴール入着後における着順モニタ１３０の第２の表示状態を示す図である。
ゴール入着後に「審議」が発生した場合には、「レースＮｏ.」と「着番」、及び「裁定（審議）」が有効データとなる。このため、裁定表示部２１０の「審議」の表示領域ａ２の背景が「審議状態」を意味する“青色”となる。また、着順表示部２２０と着番表示部２３０の全表示領域（ｂ１〜ｂ５及びｃ１〜ｃ５）の背景も「審議状態」を意味する“青色”となる。
【００６３】
（ｆ）ゴール入着後（確定）
図１２は、ゴール入着後における着順モニタ１３０の第３の表示状態を示す図である。
ゴール入着後に「確定」となった場合には、「レースＮｏ.」と「着番」、及び「裁定（確定）」が有効データとなる。したがって、裁定表示部２１０の「確定」の表示領域ａ１の背景が「確定状態」を意味する“赤色”となる。また、着順表示部２２０と着番表示部２３０の全表示領域（ｂ１〜ｂ５及びｃ１〜ｃ５）の背景も「確定状態」を意味する“赤色”となる。
【００６４】
（ｇ）ゴール入着後（着変確定）
図１３は、ゴール入着後（着変確定）における着順モニタ１３０の第４の表示状態を示す図である。
ゴール入着後に「審議」となり、その後、「着変確定」となった場合には、「レースＮｏ.」と「着番」、及び「裁定（着変確定）」が有効データとなる。このため、裁定表示部２１０の「着変確定」の表示領域ａ３の背景が「着変確定状態」を意味する“橙色”となる。また、着順表示部２２０と着番表示部２３０の全表示領域（ｂ１〜ｂ５及びｃ１〜ｃ５）の背景も「着変確定状態」を意味する“橙色”となる。
【００６５】
図１４と図１５は、実施例１の動作を示すフローチャートである。これらのフローチャートを参照しながら、実施例１の動作を説明する。
尚、特に図示していないが、制御ユニット１００は、現在の「裁定状態」（裁定データ）を数値により記憶するメモリ（便宜上、裁定メモリと表現する）を有している。制御ユニット１００は、裁定メモリに最新の「裁定状態」を設定することにより、現在の「裁定状態」を把握する。この裁定メモリには、初期値として「無効状態」に対応する値が設定される。
【００６６】
まず、電源を投入すると（ステップＳ１）、固定画面ファイル１１３から表示データを読み出して、着順モニタ１３０のスクリーンに固定表示データを表示させる（ステップＳ２）。
【００６７】
これにより、着順モニタ１３０には、図６に示すような監視画面２００が表示される。
続いて、レースが開始され、競争馬が発走すると（ステップＳ３）、決勝審判室の競技審判が通過順位専用キーボード２２から「1番〜３番までの馬番」（通過順位データ）を入力する（ステップＳ４）。
【００６８】
この通過順位入力により、裁定状態（以後、裁定データと表現する場合もある）は「無効状態」から「未確定状態」となり、制御ユニット１００は、裁定メモリに「未確定状態」に対応する値を記憶する。制御ユニット１００は、以後、同様にして、裁定状態が変化するたびに、最新の裁定状態に対応する値を裁定メモリに記憶していく。
【００６９】
次に、制御ユニット１００は、裁定データ（未確定）と裁定色決定テーブル１１１−１を基にして、監視画面２００の着順表示部２２０と着番表示部２３０の背景カラーデータ（実施例１では水色）を作成する（ステップＳ５）。そして、着順表示部２２０の「Ｉ」〜「III」の表示領域ｂ１〜ｂ３の背景に背景カラーデータを表示し（ステップＳ６）、着番表示部２３０の表示領域ｃ１〜ｃ３の背景にも該背景カラーデータを表示する（ステップＳ７）。さらに、着番表示部２３０の「Ｉ」〜「III」に対応する表示領域ｂ１〜ｂ３に、ステップＳ４で入力された通過順位データ（馬番）を表示する（ステップＳ８）。
【００７０】
以上の処理により、監視画面２００の着番表示部２３０の表示領域ｃ１〜ｃ３には、現時点における１位〜３位までの馬番が「未確定状態」を意味する色を背景にして表示される（図７参照）。
【００７１】
次に、裁決室５０の競技審判はレース中に「審議（レース中審議）」が発生したか判断し（ステップＳ９）、「レース中審議」が発生すれば、審議操作専用キーボード５１から裁定データ（審議）を入力する（ステップＳ１０）。ステップＳ９で、「レース中審議」が発生しないと判断するとステップＳ１３に遷移する。
【００７２】
制御ユニット１００は、該裁定データ（審議）と裁定色決定テーブル１１１−１を基にして、裁定表示部２１０の「審議」の表示領域ａ２の背景カラーデータ（青色）を作成し（ステップＳ１１）、裁定表示部２１０の「審議」の表示領域ａ２の背景に該背景カラーデータを表示する（ステップＳ１２）。
【００７３】
これにより、監視画面２００の裁定表示部２１０の表示領域ａ２には、「審議」という文字が青色を背景にして表示される（図８参照）。尚、図２５のフローチャートでは明示していないが、ステップＳ１０で裁定データ（審議）が入力されると、着番表示部２３０の表示領域ｂ１〜ｂ３の背景を「無効状態」を意味する“黒色”に変化させる。また、着番表示部２３０の表示領域ｃ１〜ｃ３に表示されていた馬番を消去すると共に、該表示領域ｃ１〜ｃ３の背景を“黒色”に変える。
【００７４】
続いて、競争馬がゴールすると（ステップＳ１３）、決勝審判室２０の競技審判は、着順専用キーボード２１からゴールの着順データ（１着〜５着までの馬番）を入力する（ステップＳ１４）。
【００７５】
尚、フローチャートでは特に図示していないが、ゴール直前に通過順位を消去する入力が行われ、裁定データは一時的に「無効状態」となり、監視画面２００の表示は図９に示す状態になる。そして、ステップＳ１４での着順データの入力により、裁定データは「無効状態」から「未確定状態」に変化する。
【００７６】
次に、裁定データと裁定色決定テーブル１１１−１を基にして、監視画面２００の着順表示部２２０と着番表示部２３０の背景カラーデータを作成する（ステップＳ１５）。
ステップＳ１５の処理の時点では裁定データは「未確定」に設定されているので、制御ユニット１００は、着順表示部２２０と着番表示部２３０の背景カラーデータとして「未確定」に対応する背景色（水色）のカラーデータを設定する。
【００７７】
続いて、制御ユニット１００は、着順表示部２２０の「Ｉ」〜「Ｖ」の表示領域ｂ１〜ｂ５の背景に「未確定」のカラーデータ（水色）を表示し（ステップＳ１６）、着番表示部２３０の表示領域ｃ１〜ｃ５の背景に「未確定」のカラーデータ（水色）を表示する（ステップＳ１７）。そして、着番表示部２３０にステップＳ１４で入力された着番データを表示する（ステップＳ１８）。
【００７８】
これにより、着順モニタ１３０に表示される監視画面２００においては、着順表示部２２０全体の背景が“水色”となる。また、着番表示部２３０の各表示領域ｃ１〜ｃ５では１着〜５着までの馬番が“水色”の背景で表示される（図１０参照）。
【００７９】
次に、ゴール後に「審議」が発生したか否かを判断する（ステップＳ１９）。この審議は、裁決室５０または検量室６０の競技審判の裁定結果によって発生する。裁決室５０の場合にはレース中に斜行による進路妨害や接触などがあった場合、検量室６０の場合には斤量違反があった場合に審議の対象となる。
【００８０】
ステップＳ１９で「審議」有りと判断すると、裁決室５０審議操作専用キーボード５１から裁定データ（審議）が入力される（ステップＳ２０）。検量室６０で「審議」有りと判断した場合には電話で裁決室５０の競技審判に伝えられる。一方、ステップＳ１９で「審議」無しと判断すると、ステップＳ３１に遷移する。
【００８１】
ステップＳ２０に続いて、制御ユニット１００は、裁定データ（審議）と裁定色決定テーブル１１１−１を基にして、監視画面２００の裁定表示部２１０の「審議」の表示領域ａ２、着順表示部２２０の全表示領域ｂ１〜ｂ５及び着番表示部２３０の全表示領域ｃ１〜ｃ５の背景カラーデータを作成する（ステップＳ２１）。
【００８２】
そして、制御ユニット１００は、裁定表示部２１０の「審議」の表示領域に背景カラーデータ（青色）を表示させ（ステップＳ２２）、着順表示部２２０の全表示領域に背景カラーデータ（青色）を表示させ（ステップＳ２３）、着番表示部２３０の全表示領域に背景カラーデータ（青色）を表示させる（ステップＳ２４）。
【００８３】
これにより、着順モニタ１３０に表示される監視画面２００おいては、裁定表示部２１０の「審議」表示の背景が“青色”となり（「確定」表示と「着変確定」表示の背景は無効状態を意味する“黒色”）、着順表示部２２０と着番表示部２３０の表示領域全体の背景が青色となる（図１１参照）。
【００８４】
次に、着順変更があったか判断し（ステップＳ２５）、「着順変更有り」と判断した場合にはステップＳ２６に遷移し、「着順変更無し」と判断した場合にはステップＳ３１に遷移する。
【００８５】
この「着順変更」は、裁決室５０または検量室６０の審議により、“ゴール入着後に表示された着順を変更する”という裁定が下されたことを意味する。
ステップＳ２６では、決勝審判室２０の着順専用キーボード２１の操作により着順修正を行い、ステップＳ２７に遷移する。
【００８６】
これにより、着番表示部２３０に表示される着番は、「審議中の着番」から「正式決定の着番」に変更される。
ステップＳ２７では、検量室６０の確定審議専用キーボード６１から「着変確定」データが入力される。
【００８７】
これにより、裁定データは「審議状態」から「着変確定状態」に変更される。
続いて、制御ユニット１００が、裁定データ（着変確定）と裁定色決定テーブル１１１−１を基にして、監視画面２００の裁定表示部２１０、着順表示部２２０及び着番表示部２３０の背景カラーデータを作成する（ステップＳ２８）。
【００８８】
そして、監視画面２００の裁定表示部２１０の「着変確定」の表示領域ａ３の背景にカラーデータ（橙色）を表示し（ステップＳ２９）、着番表示部２３０における着番の修正表示領域に変更された着番データ（馬番）を表示する（ステップＳ３０）。
【００８９】
そして、さらに、制御ユニット１００は、着順表示部２２０の全表示領域の背景にカラーデータを表示し（ステップＳ３４）、着番表示部２３０の全表示領域の背景にカラーデータを表示する（ステップＳ３５）。
【００９０】
以上の処理により、裁定が「着変確定」となった場合には、裁定表示部２１０において「着変確定」が“橙色”の背景で表示される（「審議」と「確定」は“黒色”の背景で表示）と共に、着順表示部２２０と着番表示部２３０の全表示領域の背景が“橙色”となる。また、着番表示部２３０に表示される着順が変更される（図１３参照）。
【００９１】
一方、ステップＳ２５で着順変更が無かった場合には、検量室６０の確定審議専用キーボード６１から「確定」を入力する（ステップＳ３１）。制御ユニット１００は、裁定データ（確定）と裁定色決定テーブル１１１−１を基にして、監視画面２００の裁定表示部２１０の「確定」の表示領域、着順表示部２２０の全表示領域及び着番表示部２３０の全表示領域の背景カラーデータ（赤色）を作成する（ステップＳ３２）。そして、裁定表示部２１０の「確定」表示の背景にカラーデータ（赤色）を表示する（ステップＳ３３）。
【００９２】
そして、ステップＳ３４において、着順表示部２２０の全表示領域の背景に背景カラーデータ（赤色）を表示し、続いて、着番表示部２３０の全表示領域の背景に背景カラーデータ（赤色）を表示する（ステップＳ３５）。
【００９３】
以上の処理により、裁定が「確定」となった場合には、裁定表示部２１０において「確定」が“赤色”の背景で表示される（「審議」と「着変確定」は“黒色”の背景で表示）と共に、着順表示部２２０と着番表示部２３０の全表示領域の背景が“赤色”となる。また、着番表示部２３０に表示されていた着順も変更されない（図１２参照）。
【実施例２】
【００９４】
図１６は、実施例２の制御ユニッ３０のシステム構成を示すブロック図である。同図に示すように、実施例２の制御ユニット３０は実施例２の制御ユニット１００と同様な構成となっている。したがって、実施例２の制御ユニット１００の詳しい説明は省略する。
【００９５】
図１７は、実施例２の裁定色決定テーブル１１１（１１１−２）の構成を示す図である。
実施例２の裁定色決定テーブル１１１−２は、実施例１の裁定色決定テーブル１１１−１（図４参照）から着番表示部２３０の背景カラーデータを削除した構成となっている。
【００９６】
次に、図１８〜図２４を参照しながら、実施例２における着順モニタ１３０の表示動作（監視画面２００の表示形態）を説明する。
【００９７】
（ａ）レース中（通過順位）
図１８は、レース中における着順モニタ１３０の第１の表示状態を示す図である。
レース中においては、裁定は「未確定」であり、「レースＮｏ．」と「１位〜３位までの通過順位」が有効データとなる。このため、レース中の監視画面２００においては、レースＮｏ.表示部２０１にレースＮｏ．（この場合、“１”）が表示される。また、レースＮｏ．着順表示部２２０の「Ｉ」〜「III」の表示領域ｂ１〜ｂ３の背景が、「未確定状態」を意味する“水色”で表示される。そして、着番表示部２３０の表示領域ｃ１〜ｃ３には１位〜３位の馬番が表示される。
レース中において、「審議」が発生しない場合には、ゴール直前に着番表示部２３０に表示されていた馬番が消去されてから、後述する（ｃ）に遷移する。
【００９８】
（ｂ）レース中（審議）
図１９は、レース中における着順モニタ１３０の第２の表示状態を示す図である。
レース中に「審議」が発生すると、「裁定」が有効データとなる。このとき、裁定は「審議」となるので、裁定表示部２１０の「審議」の表示領域ａ２の背景が“青色”で表示される。また、「１位から３位までの通過順位」が無効データとなる。このため、着順表示部２２０の「Ｉ」〜「III」に対応する表示領域ｂ１〜ｂ３の背景が無効状態を意味する“黒色”で表示されると共に、着番表示部２３０の表示領域ｃ１〜ｃ３に表示されていた１位〜３位までの馬番の通過順位状態の表示が消去される。
【００９９】
（ｃ）ゴール入着前
図２０は、ゴール入着前の着順モニタ１３０の表示状態を示す図である。
ゴール入着前は、「レースＮｏ．」だけが有効データとなる。また、「裁定」は無効データとなる。このため、レースＮｏ.表示部２０１に「レースＮｏ．」が表示されるだけで、裁定表示部２１０の全表示領域（ａ１〜ａ３）の背景と着順表示部２２０の全表示領域（ｂ１〜ｂ５）の背景は、共に、無効状態を意味する“黒色”で表示される。
【０１００】
（ｄ）ゴール入着後（未確定）
図２１は、ゴール入着後における着順モニタ１３０の第１の表示状態を示す図である。
ゴール入着後（未確定）のときは、「レースＮｏ．」と「着番」が有効データとなる。裁定は「未確定」である。このため、レースＮｏ．表示部２０１に「レースＮｏ．」が表示され、着番表示部２３０の表示領域ｃ１〜ｃ５に１着から５着の馬番（着番）が表示される。また、着順表示部２２０の全表示領域ｂ１〜ｂ５の背景は、「未確定状態」意味する“水色”で表示される。
【０１０１】
（ｅ）ゴール入着後（審議）
図２２は、ゴール入着後における着順モニタ１３０の第２の表示状態を示す図である。
ゴール入着後に「審議」が発生した場合には、「レースＮｏ．」と「着番」、及び「裁定（審議）」が有効データとなる。このため、裁定表示部２１０の「審議」の表示領域ａ２の背景が「審議状態」を意味する“青色”となる。また、着順表示部２２０の全表示領域（ｂ１〜ｂ５）の背景も「審議状態」を意味する“青色”となる。
【０１０２】
（ｆ）ゴール入着後（確定）
図２３は、ゴール入着後における着順モニタ１３０の第３の表示状態を示す図である。
ゴール入着後に「確定」となった場合には、「レースＮｏ．」と「着番」、及び「裁定（確定）」が有効データとなる。したがって、裁定表示部２１０の「確定」の表示領域ａ１の背景が「確定状態」を意味する“赤色”となる。また、着順表示部２２０の全表示領域（ｂ１〜ｂ５）の背景も「確定状態」を意味する“赤色”となる。
【０１０３】
（ｇ）ゴール入着後（着変確定）
図２４は、ゴール入着後における着順モニタ１３０の第４の表示状態を示す図である。
ゴール入着後に「審議」となり、その後、「着変確定」となった場合には、「レースＮｏ．」と「着番」、及び「裁定（着変確定）」が有効データである。このため、裁定表示部２１０の「着変確定」の表示領域ａ３の背景が「着変確定状態」を意味する“橙色”となる。また、着順表示部２２０の全表示領域（ｂ１〜ｂ５）の背景も「着変確定」を意味する“橙色”となる。
【０１０４】
図２５と図２６は、実施例２の動作を示すフローチャートである。両図において、実施例１に対応する図１４及び図１５のフローチャート内のステップと同じ処理を行うステップには同一の符号を付与している。図２５と図２６のフローチャートを参照しながら、実施例２の動作を説明する。尚、実施例２の説明では、フローチャートに明示されていない実施例１と同様な処理の説明については省略する。また、実施例１と同一のステップについても、処理が同様なので簡略的に説明する。
【０１０５】
まず、電源を投入すると（ステップＳ１）、固定画面ファイル１１３から表示データを読み出して、着順モニタ１３０のスクリーンに固定表示データを表示させる（ステップＳ２）。
【０１０６】
これにより、着順モニタ１３０には、図６に示すような監視画面２００が表示される。
続いて、レースが開始され、競争馬が発走すると（ステップＳ３）、決勝審判室の競技審判が通過順位専用キーボード２２から１位〜３位までの馬番（通過順位データ）を入力する（ステップＳ４）。
【０１０７】
これにより、裁定状態は「無効状態」から「未確定状態」に変化する。
次に、制御ユニット１００は、裁定データ（未確定）と裁定色決定テーブル１１１を基にして、監視画面２００の着順表示部２２０の背景カラーデータ（水色）を作成する（ステップＳ５１）。そして、着順表示部２２０の「Ｉ」〜「III」の表示領域ｂ１〜ｂ３の背景に該背景カラーデータ（水色）を表示し（ステップＳ６）、着番表示部２３０の各表示領域ｃ１〜ｃ３にステップＳ４で入力された通過順位データ（馬番）を表示する（ステップＳ８）。
【０１０８】
以上の処理により、監視画面２００の着番表示部２３０には、現在の１位〜３位までの馬番（通過順位）が「未確定状態」を意味する“水色”を背景にして表示される（図１８参照）。
【０１０９】
次に、裁決室５０の競技審判はレース中に「審議（レース中審議）」が発生したか判断し（ステップＳ９）、「レース中審議」が発生すれば、審議操作専用キーボード５１から裁定データ（審議）を入力する（ステップＳ１０）。ステップＳ９で、「レース中審議」が発生しないと判断されるとステップＳ１３に遷移する。
【０１１０】
制御ユニット１００は、該裁定データ（審議）と裁定色決定テーブル１１１を基にして、裁定表示部２１０の「審議」の表示領域の背景カラーデータ（青色）を作成し（ステップＳ１１）、裁定表示部２１０の「審議」の表示領域に該背景カラーデータ（青色）を表示する（ステップＳ１２）。
【０１１１】
これにより、レース中に「審議」が発生した場合には、監視画面２００の裁定表示部２１０において「審議」という文字が青色を背景にして表示される（図１９参照）。
続いて、競争馬がゴールすると（ステップＳ１３）、決勝審判室２０の競技審判は、着順専用キーボード２１から１着〜５着の馬番（着順データ）を入力する（ステップＳ１４）。
【０１１２】
次に、裁定データと裁定色決定テーブル１１１を基にして、監視画面２００の着順表示部２２０の背景カラーデータを作成する（ステップＳ５２）。
実施例１で説明したように、ステップＳ１４での着順データ入力により、裁定データは「未確定」に設定されるので、ステップＳ５２での裁定データは「未確定」となる。
【０１１３】
続いて、制御ユニット１００は、着順表示部２２０の「Ｉ」〜「Ｖ」の表示領域ｂ１〜ｂ５の背景に背景カラーデータ（水色）を表示し（ステップＳ１６）、着番表示部２３０の表示領域ｃ１〜ｃ５に着番データ（１着から５着までの馬番）を表示する（ステップＳ１８）。
【０１１４】
以上の処理により、ゴール入着後には、監視画面２００の着順表示部２２０全体は「未確定状態」を意味する“水色”を背景にして表示される。また、着番表示部２３０には、１着から５着までの馬番が表示される。実施例１とは異なり、着番表示部２３０に表示される着順は「未確定状態」を意味する色を背景として表示されない（図２１参照）。
【０１１５】
次に、ゴール後に「審議」が発生したか否かを判断する（ステップＳ１９）。そして、「審議」有りと判断するとステップＳ２０に遷移し、「審議」無しと判断するとステップＳ３１に遷移する。
【０１１６】
ステップＳ２０では、裁決室５０審議操作専用キーボード５１から裁定データ（審議）が入力される。続いて、制御ユニット１００が、裁定データ（審議）と裁定色決定テーブル１１１を基にして、監視画面２００の裁定表示部２１０の「審議」の表示領域ａ２と着順表示部２２０の背景カラーデータを作成する（ステップＳ５３）。
【０１１７】
これにより、裁定表示部２１０の表示領域ａ２及び着順表示部２２０全体の背景カラーデータとして、“青色”の背景カラーデータが作成される。
次に、制御ユニット１００は、裁定表示部２１０の「審議」の表示領域ａ２に背景カラーデータ（青色）を表示させ（ステップＳ２２）、着順表示部２２０の全表示領域ｂ１〜ｂ５に背景カラーデータ（青色）を表示させる（ステップＳ２３）。
【０１１８】
これにより、監視画面２００おいては、裁定表示部２１０の「審議」の文字が青色を背景にして表示され（「確定」と「着変確定」の背景は黒色で表示される）、着順表示部２２０の表示領域全体の背景が青色となる（図２２参照）。
【０１１９】
次に、着順変更があったか判断する（ステップＳ２５）。そして、「着順変更有り」と判断した場合には、決勝審判室２０の着順専用キーボード２１を操作して着順を修正し（ステップＳ２６）、ステップＳ２７に遷移する。
【０１２０】
ステップＳ２７では、検量室６０の確定審議専用キーボード６１から「着変確定」を入力する。制御ユニット１００は、裁定データ（着変確定）と裁定色決定テーブル１１１を基にして、監視画面２００の裁定表示部２１０の表示領域ａ３及び着順表示部２２０の全表示領域ｂ１〜ｂ５の背景カラーデータを作成する（ステップＳ５４）。
【０１２１】
これにより、裁定表示部２１０の「着変確定」の表示領域ａ３と着順表示部２２０の全表示領域の背景カラーデータとして“橙色”が作成される。
そして、監視画面２００の裁定表示部２１０の「着変確定」の表示領域ａ３の背景にカラーデータ（橙色）を表示し（ステップＳ２９）、着番表示部２３０における着番変更の表示領域に変更された着番データ（馬番）を表示し（ステップＳ３０）、ステップＳ３４に遷移する。そして、最後に、着順表示部２２０の全表示領域ｂ１〜ｂ５の背景にカラーデータ（橙色）を表示する（ステップＳ３５）。
【０１２２】
以上の処理により、「着変確定」となった場合には、裁定表示部２１０において「着変確定」の文字が“橙色”の背景で表示される。また、着順表示部２２０の全表示領域の背景が“橙色”で表示される。また、着番表示部２３０には正式決定された「着番」が表示される。着番表示部２３０の各領域ｃ１〜ｃ５の背景は“黒色”である（図２４参照）。
【０１２３】
一方、ステップＳ２５で着順変更が無かった場合には、検量室６０の確定審議専用キーボード６１から「確定」を入力する（ステップＳ３１）。制御ユニット１００は、裁定データ（確定）と裁定色決定テーブル１１１を基にして、監視画面２００の裁定表示部２１０の「確定」の表示領域及び着順表示部２２０の全表示領域の背景カラーデータ（赤色）を作成する（ステップＳ５５）。そして、裁定表示部２１０の「確定」表示の背景にカラーデータ（赤色）を表示する（ステップＳ３３）。そして、ステップＳ３４において、着順表示部２２０の全表示領域ｂ１〜ｂ５の背景にカラーデータを表示する（ステップＳ３４）。
【０１２４】
これにより、監視画面２００において、裁定表示部２１０では「確定」の文字が“赤色”を背景にして表示される。また、この場合、着番表示部２３０の着順表示に変更は無い（図２３参照）。
【実施例３】
【０１２５】
図２４は、実施例３のシステム構成を示すブロック図である。
同図において、実施例３のシステムが実施例１のシステムと異なる部分を一点鎖線で囲んで示している。図２４の説明では、上述した他の実施例には無い実施例３特有の構成についてのみ説明し、実施例１と重複する説明は省略する。
【０１２６】
実施例３のシステムでは、センターシステム１１が保有する枠番情報１３を利用する。また、制御ユニット１００−３は、実施例１の制御ユニット１００が有する全ての構成要素に加え、さらに、枠色決定部１０５と枠色決定テーブル１１２を備えている。枠色決定部１０５は、キーボード９０と着番編集部１０６との間に設けられているキーボード９０からは、「レースＮｏ．」、順位情報（「通過順位データ」、「着順データ」）及び「裁定情報」（「確定」、「審議」、「着変確定」）が制御ユニット１００−３に入力される。計算機室１０のセンターシステム１１からは「枠番情報」が制御ユニット１００−３の枠色決定部１０５に入力される。
【０１２７】
図２８は、実施例３の裁定色決定テーブル１１１の構成を示す図である。
同図に示すように、実施例３の裁定色決定テーブル１１１−３は図１７の裁定色決定テーブル１１１―２の構成と同様である。したがって、裁定色決定テーブル１１１−３の構成の説明は省略する。
【０１２８】
図２９は、枠色決定テーブル１１２の構成を示す図である。
本実施形態では枠番は１〜８番までとなっているので（図２参照）、枠色決定テーブル１１２には、１位から８番までの各枠の色（枠色）が登録されている。実施例３では、監視画面２００の着番表示部２３０において、「Ｉ」（１着）〜「Ｖ」（５着）のそれぞれに対応する各表示領域ｃ１〜ｃ５の背景を、各表示領域ｃｉ（ｉ＝１〜５）に表示される馬番に対応する枠色で表示する。また、該馬番を、その背景色と最もコントラストが高い色で表示する。
【０１２９】
枠色決定部１０５は、キーボード９０から受け取る「順位情報（通過順位データ及び着順データ）」とセンターシステム１１が保有する枠番情報１３とを基にして枠色決定テーブル１１２を検索し、各「着番（通過順位も含む）」に対応する「枠色」を決定する。
【０１３０】
着番編集部１０６は、裁定色決定部１０２から裁定情報を受け取ると共に、枠色決定部１０５から各着番の枠色情報を受け取る。そして、着順モニタ１３０の着番表示部２３０に表示する表示データを編集し、その表示データを着順モニタ画像編集部１０７に出力する。
【０１３１】
着順モニタ画像編集部１０７は、レースＮｏ．編集部１０１、裁定編集部１０３、着順編集部１０４及び着番編集部１０６から上記各表示データを受け取る。そして、固定画面ファイル１１３から着順モニタ１３０の固定表示データを読み出して、着順モニタ１３０に表示する全画面の表示データを編集し、その全画面表示データを着順モニタ画像出力部１０８に出力する。
【０１３２】
次に、図３０〜図３５を参照しながら、実施例３の着順モニタ１３０の表示動作（監視画面２００の表示形態）を説明する。
【０１３３】
（ａ）レース中（通過順位）
図３０は、レース中における着順モニタ１３０の第１の表示状態を示す図である。
レース中においては、裁定は「未確定」であり、「レースＮｏ．」と「１位〜３位までの通過順位」が有効データとなる。このため、レース中の監視画面２００においては、レースＮｏ．表示部２０１にレースＮｏ．（この例では“１”）が表示される。また、着順表示部２２０の「Ｉ」〜「III」の表示領域ｂ１〜ｂ３の背景が、「未確定状態」を意味する“水色”となる。さらに、着番表示部２３０の表示領域ｃ１〜ｃ３には、それぞれ、１位〜３位の馬番が表示される。そして、これは実施例３の特徴であるが、着番表示部２３０の各表示領域ｃ１〜ｃ３の背景が、それら各表示領域Cｉ（ｉ＝１〜３）に表示されている馬番に事前に割り当てられている枠色（枠色決定テーブル１１２に登録された枠色）で表示される。この場合、１位〜３位の馬番は、背景色と最もコントラストが高い、見やすい色で表示される。
レース中において、「審議」が発生しない場合には、ゴール直前に着番表示部２３０に表示されている馬番が消去されてから、後述する（ｃ）に遷移する。
【０１３４】
（ｂ）レース中（審議）
図３１は、レース中における着順モニタ１３０の第２の表示状態を示す図である。
レース中に「審議」が発生すると、裁定が有効データとなる。このため、裁定表示部２１０の「審議」の表示領域ａ２の背景が“青色”で表示される。また、着順表示部２２０の「Ｉ」〜「III」に対応する表示領域ｂ１〜ｂ３の背景が“黒色”となる。また、さらに、着番表示部２３０の表示領域ｃ１〜ｃ３に表示されていた馬番表示が消去され、それらの表示領域ｃ１〜ｃ３の背景が“黒色”となる。
【０１３５】
（ｃ）ゴール入着前
図３２は、ゴール入着前の着順モニタ１３０の表示状態を示す図である。
ゴール入着前は「レースＮｏ．」だけが有効データとなる。このため、裁定表示部２１０と着順表示部２２０及び着番表示部２３０の全表示領域の背景は、無効状態を意味する“黒色”で表示される。
【０１３６】
（ｄ）ゴール入着後（未確定）
図３３は、ゴール入着後における着順モニタ１３０の第１の表示状態を示す図である。
ゴール入着後（未確定）のときは、「レースＮｏ．」と「着番」が有効データとなる。このため、監視画面２００においては、レースＮｏ．表示部２０１に「レースＮｏ．」が表示され、着番表示部２３０の「Ｉ」〜「Ｖ」に対応する表示領域ｂ１〜ｂ５に１着から５着の馬番（着番）が表示される。
【０１３７】
また、着順表示部２２０の全表示領域ｂ１〜ｂ５の背景は「未確定状態」意味する“水色”となり、着番表示部２３０の各表示領域ｃｉ（ｉ＝１〜５）の背景は、その領域に表示されている馬番（着番）に事前に割り当てられていた枠色で表示される。このとき、着番表示部２３０の各表示領域ｃ１〜ｃ５に表示される１着〜５着までの馬番（着番）は、背景色と最もコントラストが高い、見やすい色で表示される。
【０１３８】
（ｅ）ゴール入着後（審議）
図３４は、ゴール入着後における着順モニタ１３０の第２の表示状態を示す図である。
ゴール入着後に「審議」が発生した場合には、「レースＮｏ．」と「着番」、及び「裁定（審議）」が有効データとなる。このため、裁定表示部２１０の「審議」の表示領域ａ２の背景が「審議状態」を意味する“青色”となる。また、着順表示部２２０の全表示領域ｂ１〜ｂ５の背景も「審議状態」を意味する“青色”となる。また、着番表示部２３０においては、各表示領域ｃｉ（ｉ＝１〜５）の背景は、各表示領域ｃｉに表示されている馬番（着番）に事前に割り当てられた枠色で表示される。このとき、着番表示部２３０の各表示領域ｃ１〜ｃ５に表示される１着〜５着の馬番（着番）は、背景色と最もコントラストが高い、見やすい色で表示される。
【０１３９】
（ｆ）ゴール入着後（確定）
図３５は、ゴール入着後における着順モニタ１３０の第３の表示状態を示す図である。
ゴール入着後に「確定」となった場合には、「レースＮｏ．」と「着番」、及び「裁定（確定）」が有効データとなる。したがって、裁定表示部２１０の「確定」の表示領域ａ１の背景が「確定状態」を意味する“赤色”となる。また、着順表示部２２０の全表示領域ｂ１〜ｂ５の背景も「確定状態」を意味する“赤色”となる。また、着番表示部２３０においては、各表示領域ｃｉ（ｉ＝１〜５）の背景は、各表示領域ｃｉに表示されている馬番（着番）に事前に割り当てられた枠色で表示される。また、さらに、着番表示部２３０の各表示領域ｃ１〜ｃ５に表示される１着〜５着の馬番（着番）は、背景色と最もコントラストが高い、見やすい色で表示される。
【０１４０】
（ｇ）ゴール入着後（着変確定）
図３６は、ゴール入着後におけるの着順モニタ１３０の第４の表示状態を示す図である。
ゴール入着後に「審議」となり、その後、「着変確定」となった場合には、「レースＮｏ．」と「着番」、及び「裁定（着変確定）」が有効データとなる。このため、裁定表示部２１０の「着変確定」の表示領域ａ３の背景は、「着変確定状態」を意味する“橙色”となる。また、着順表示部２２０の全表示領域ｂ１〜ｂ５の背景も、「着変確定」を意味する“橙色”となる。さらに、着番表示部２３０においては、各表示領域ｃｉ（ｉ＝１〜５）の背景は、各表示領域ｃｉに表示されている馬番（着番）に事前に割り当てられた枠色で表示される。また、さらに、着番表示部２３０の表示領域ｃ１〜ｃ５に表示される１着〜５着の馬番（着番）は、背景色と最もコントラストが高い、見やすい色で表示される。
【０１４１】
図３７と図３８は、実施例３の動作を示すフローチャートである。両図において、実施例１に対応する図１４並びに図１５のフローチャート、及び実施例２に対応する図２５並びに図２６のフローチャート内のステップと同じ処理を行うステップには同一の符号を付与している。
【０１４２】
図３７と図３８のフローチャートを参照しながら、実施例３の動作を説明する。
尚、実施例１及び実施例２で説明した処理については、一部省略または簡略して説明する。
【０１４３】
まず、電源を投入すると（ステップＳ１）、固定画面ファイル１１３から表示データを読み出して、着順モニタ１３０のスクリーンに固定表示データを表示させる（ステップＳ２）。
【０１４４】
これにより、着順モニタ１３０には、図６に示すような監視画面２００が表示される。
続いて、レースが開始され、競争馬が発走すると（ステップＳ３）、決勝審判室の競技審判が通過順位専用キーボード２２から１位〜３位までの馬番（通過順位データ）を入力する（ステップＳ４）。
【０１４５】
これにより、裁定状態は「無効状態」から「未確定状態」に変化する。
次に、制御ユニット１００−３は、裁定データ（未確定）と裁定色決定テーブル１１１を基にして、監視画面２００の着順表示部２２０の背景カラーデータを作成する（ステップＳ５１）。続いて、制御ユニット１００−３は、着順データとセンターシステム１１内の枠番情報１３と枠色決定テーブル１１２を基にして、着番表示部２３０の各表示領域ｃ１〜ｃ３の背景カラーデータを作成する（ステップＳ６１）。
【０１４６】
以上の処理により、着順表示部２２０の表示領域ｂ１〜ｂ３の背景カラーデータは「未確定状態」に対応する“水色”に設定される。また、着番表示部２３０の各表示領域ｃｊ（ｊ＝１〜３）の背景カラーデータは、各表示領域ｃｊに表示される馬番に割り当てられた枠色となる。
【０１４７】
そして、着順表示部２２０の「Ｉ」〜「III」の各表示領域ｂ１〜ｂ３の背景に背景カラーデータを表示し（ステップＳ６）、着番表示部２３０の各表示領域ｃ１〜ｃ３の背景に背景カラーデータを表示し（ステップＳ７）、さらに、着番表示部２３０の各表示領域ｃ１〜ｃ３にステップＳ４で入力された通過順位データ（馬番）を表示する（ステップＳ８）。
【０１４８】
以上の処理により、監視画面２００の着順表示部２２０の「Ｉ」〜「III」に対応する表示領域ｂ１〜ｂ３の背景は「未確定状態」を意味する“水色”で表示される。また、着番表示部２３０の各表示領域ｃ１、ｃ２、ｃ３には、それぞれ、１位、２位、３位の馬番がそれらの各馬番に対応する枠色を背景にして表示される（図３０参照）。
【０１４９】
次に、裁決室５０の競技審判はレース中に「審議」が発生したか判断し（ステップＳ９）、「審議（レース中審議）」が発生すれば、審議操作専用キーボード５１から裁定データ（審議）を入力する（ステップＳ１０）。ステップＳ９で、レース中に「審議」が発生しないと判断されるとステップＳ１３に遷移する。
【０１５０】
制御ユニット１００−３は、該裁定データ（審議）と裁定色決定テーブル１１１を基にして、裁定表示部２１０の「審議」の表示領域ａ２の背景カラーデータ（青色）を作成し（ステップＳ１１）、裁定表示部２１０の「審議」の表示領域に該背景カラーデータ（青色）を表示する（ステップＳ１２）。
【０１５１】
これにより、「レース中審議」が発生した場合には、監視画面２００の裁定表示部２１０では「審議」という文字が“青色”を背景にして表示される（図３１参照）。
続いて、競争馬がゴールすると（ステップＳ１３）、決勝審判室２０の競技審判は、着順専用キーボード２１からゴールの１着〜５着の馬番（着順データ）を入力する（ステップＳ１４）。
【０１５２】
この着順データ入力により、裁定状態は「未確定状態」となる。
次に、裁定データと裁定色決定テーブル１１１を基にして、監視画面２００の着順表示部２２０の背景カラーデータを作成し（ステップＳ５２）、着順データとセンターシステム１１内の枠番情報１３と枠色決定テーブル１１２を基にして、着番表示部２３０の背景カラーデータを作成する（ステップＳ６２）。
【０１５３】
続いて、制御ユニット１００−３は、着順表示部２２０の全表示領域の背景にカラーデータ（「未確定状態」を意味するカラーデータ）を表示し（ステップＳ１６）、着番表示部２３０の各表示領域の背景に当該カラーデータ（当該枠色のカラーデータ）を表示し（ステップＳ１７）、着番表示部２３０に着番データ（１着から５着までの馬番）を表示する（ステップＳ１８）。
【０１５４】
これにより、監視画面２００において、着順表示部２２０の全表示領域ｂ１〜ｂ５の背景は「未確定状態」を示す“水色”で表示される。また、着番表示部２３０には１着から５着までの馬番（着番）が、それぞれの馬番に対応する枠色の背景で表示される（図３３参照）。
【０１５５】
次に、ゴール後に「審議」が発生したか否かを判断する（ステップＳ１９）。そして、「審議」有りと判断するとステップＳ２０に遷移し、「審議」無しと判断するとステップＳ３１に遷移する。
【０１５６】
ステップＳ２０では、裁決室５０審議操作専用キーボード５１から裁定データ（審議）が入力される。続いて、制御ユニット１００−３は、裁定データ（審議）と裁定色決定テーブル１１１を基にして、監視画面２００の裁定表示部２１０の「審議」の表示領域ａ２と着順表示部２２の全表示領域ｂ１〜ｂ５の背景カラーデータを作成する（ステップＳ５３）。次に、制御ユニット１００−３は、裁定表示部２１０の「審議」の表示領域に該背景カラーデータ（青色）を表示させ（ステップＳ２２）、着順表示部２２０の全表示領域ｂ１〜ｂ５に該背景カラーデータ（青色）を表示させる（ステップＳ２３）。
【０１５７】
これにより、監視画面２００おいては、裁定表示部２１０の「審議」の文字が“青色”を背景にして表示され、着順表示部２２０では「Ｉ」〜「Ｖ」のローマ数字が“青色”の背景で表示される（図３４参照）。
【０１５８】
次に、着順変更があったか判断する（ステップＳ２５）。そして、「着順変更有り」と判断した場合には、決勝審判室２０の着順専用キーボード２１を操作してから着順を修正する（ステップＳ２６）続いて、検量室６０の確定審議専用キーボード６１から「着変確定」を入力する（ステップＳ２７）。
【０１５９】
これにより、裁定状態は「着変確定」となる。
制御ユニット１００−３は、裁定データ（着変確定）と裁定色決定テーブル１１１を基にして、監視画面２００の裁定表示部２１０の「着変確定」の表示領域ａ３と着順表示部２２０の全表示領域ｂ１〜ｂ５の背景カラーデータを作成する（ステップＳ５４）。制御ユニット１００−３は、さらに、着順データとセンターシステム１１内の枠番情報１３と枠色決定テーブル１１２を基にして、着番表示部２３０の各表示領域ｃ１〜ｃ５の背景カラーデータを作成する（ステップＳ６３）。
【０１６０】
ステップＳ６３の処理により、着番表示部２３０の各表示領域ｃｉ（ｉ＝１〜５）の背景色が、各表示領域ｃ１〜ｃ５に表示される馬番に対応する枠色に設定される。
そして、制御ユニット１００−３は、監視画面２００の裁定表示部２１０の「着変確定」の表示領域ｃ３の背景をステップＳ５４で作成されたカラーデータ（橙色）で表示させ（ステップＳ２９）、着順表示部２２０の背景もステップＳ５４で作成されたカラーデータ（橙色）で表示させる（ステップＳ６４）。制御ユニット１００−３は、さらに、着番表示部２３０の着番（馬番）が修正された表示領域（着番修正表示領域）の背景をステップＳ６３で作成された枠色のカラーデータで表示させ（ステップＳ６５）、着番表示部２３０の着番修正表示領域に当該馬番（着番）を表示させる（ステップＳ３０）。
【０１６１】
これにより、審議裁定が「着変確定」となった場合には、監視画面２００において、裁定表示部２１０では「着変確定」の文字が「着変確定状態」を意味する“橙色”を背景にして表示される。また、着順表示部２２０では、その全表示領域ｂ１〜ｂ５の背景が“橙色”で表示される。さらに、着番表示部２３０においては、修正された着番（馬番）がその馬番に割り当てられている枠色を背景にして表示される（図３６参照）。
【０１６２】
一方、ステップＳ２５で着順変更が無かった場合には、検量室６０の確定審議専用キーボード６１から「確定」を入力する（ステップＳ３１）。
これにより、裁定状態は「確定」となる。
【０１６３】
制御ユニット１００−３は、裁定データ（確定）と裁定色決定テーブル１１１を基にして、監視画面２００の裁定表示部２１０の「確定」の表示領域ａ１と着順表示部２２０の全表示領域ｂ１〜ｂ５の背景カラーデータ（赤色）を作成する（ステップＳ５５）。そして、裁定表示部２１０において「確定」という文字の背景を上記背景カラーデータで表示させ（ステップＳ３３）、着順表示部２２０の「Ｉ」〜「Ｖ」という各ローマ数字の背景を上記背景カラーデータで表示させる（ステップＳ６６）。
【０１６４】
これにより、審議裁定が「確定」となった場合には、監視画面２００において、裁定表示部２１０では「確定」の文字が“赤色”を背景にして表示され、着順表示部２２０では「Ｉ」〜「Ｖ」の各ローマ数字が“赤色”の背景で表示される。また、着番表示部２３０では１着〜５着の各馬番がそれぞれに対応する枠色の背景で表示される（図３５参照）。
【０１６５】
上記実施例１〜３では、いずれも、本発明を競馬のレースを監視する着順モニタ１３０に適用した実施形態であるが、本発明は、競馬のレースのみに限定されるものではなく、競輪や競艇などの他の公営競技やその他の競技のレースなど、レース全般の競技審判用の着順モニタに適用可能なものである。
【産業上の利用可能性】
【０１６６】
本発明は、競技全般のレースの着順表示装置のみならず、ある状態とその状態に対応する情報を関連付けて表示する表示装置などにも適用可能であり、極めて汎用性が高いものである。
【図面の簡単な説明】
【０１６７】
【図１】本発明の実施形態である競馬場管理・運営システムの構成図である。
【図２】枠番情報の内容を示す図である。
【図３】実施例１の制御ユニットの構成を示すブロック図である。
【図４】実施例１の裁定色決定テーブルの構成を示す図である。
【図５】固定画面ファイルの構成を示す図である。
【図６】監視画面の形式を示す図である。
【図７】実施例１における着順モニタのレース中における第１の表示状態を示す図である。
【図８】実施例１における着順モニタのレース中における第２の表示状態を示す図である。
【図９】実施例１における着順モニタのゴール入着前の表示状態を示す図である。
【図１０】実施例１における着順モニタのゴール入着後における第１の表示状態を示す図である。
【図１１】実施例１における着順モニタのゴール入着後における第２の表示状態を示す図である。
【図１２】実施例１における着順モニタのゴール入着後における第３の表示状態を示す図である。
【図１３】実施例１における着順モニタのゴール入着後における第４の表示状態を示す図である。
【図１４】実施例１の動作を説明するフローチャート（その１）である。
【図１５】実施例１の動作を説明するフローチャート（その２）である。
【図１６】実施例２の制御ユニットの構成を示すブロック図である。
【図１７】実施例２の裁定色決定テーブルの構成を示す図である。
【図１８】実施例２における着順モニタのレース中における第１の表示状態を示す図である。
【図１９】実施例２における着順モニタのレース中における第２の表示状態を示す図である。
【図２０】実施例２における着順モニタのゴール入着前の表示状態を示す図である。
【図２１】実施例２における着順モニタのゴール入着後における第１の表示状態を示す図である。
【図２２】実施例２における着順モニタのゴール入着後における第２の表示状態を示す図である。
【図２３】実施例２における着順モニタのゴール入着後における第３の表示状態を示す図である。
【図２４】実施例２における着順モニタのゴール入着後における第４の表示状態を示す図である。
【図２５】実施例２の動作を説明するフローチャート（その１）である。
【図２６】実施例２の動作を説明するフローチャート（その２）である。
【図２７】実施例３の制御ユニットの構成を示すブロック図である。
【図２８】実施例３における裁定色決定テーブルの構成を示す図である。
【図２９】枠色決定テーブルの構成を示す図である。
【図３０】実施例３における着順モニタのレース中における第１の表示状態を示す図である。
【図３１】実施例３における着順モニタのレース中における第２の表示状態を示す図である。
【図３２】実施例３における着順モニタのゴール入着前の表示状態を示す図である。
【図３３】実施例３における着順モニタのゴール入着後における第１の表示状態を示す図である。
【図３４】実施例３における着順モニタのゴール入着後における第２の表示状態を示す図である。
【図３５】実施例３における着順モニタのゴール入着後における第３の表示状態を示す図である。
【図３６】実施例３における着順モニタのゴール入着後における第４の表示状態を示す図である。
【図３７】実施例３の動作を説明するフローチャート（その１）である。
【図３８】実施例３の動作を説明するフローチャート（その２）である。
【図３９】従来の着順モニタの外観図である。
【符号の説明】
【０１６８】
１０  計算機室
１１  センターシステム
１１ａ  記憶装置
１３  枠番情報
１５  着順制御装置
２０  決勝審判室
２１  着順専用キーボード
２２  通過順位専用キーボード
２３  発信操作専用キーボード
３０（３０−１〜３０−３）  制御ユニット
４０（４０−１〜４０−３）  着順モニタ
５０  裁決室
５１  審議操作専用キーボード
６０  検量室
６１  確定審議専用キーボード
６２  制御ユニット
６３  着順モニタ
７０  ＬＡＮ（ローカルエリアネットワーク）
９０  キーボード
１００  制御ユニット
１０１  レースＮｏ．編集部
１０２  裁定色決定部
１０３  裁定編集部
１０４  着順編集部
１０６  着番編集部
１０７  着順モニタ画像編集部
１０８  着順モニタ画像出力部
１１１（１１１−１〜１１１−３）  裁定色決定テーブル
１１２  枠色決定テーブル
１１３  固定画面ファイル
１２１  ビデオRAM
１３０  着順モニタ
２００  監視画面
２０１  レースＮｏ．表示部
２１０  裁定表示部
２２０  着順表示部
２３０  着番表示部
【図１】
2006115879.tif 000003
【図２】
2006115879.tif 000004
【図３】
2006115879.tif 000005
【図４】
2006115879.tif 000006
【図５】
2006115879.tif 000007
【図６】
2006115879.tif 000008
【図９】
2006115879.tif 000009
【図１２】
2006115879.tif 000010
【図１３】
2006115879.tif 000011
【図１４】
2006115879.tif 000012
【図１５】
2006115879.tif 000013
【図１６】
2006115879.tif 000014
【図１７】
2006115879.tif 000015
【図２０】
2006115879.tif 000016
【図２３】
2006115879.tif 000017
【図２４】
2006115879.tif 000018
【図２５】
2006115879.tif 000019
【図２６】
2006115879.tif 000020
【図２７】
2006115879.tif 000021
【図２８】
2006115879.tif 000022
【図２９】
2006115879.tif 000023
【図３２】
2006115879.tif 000024
【図３７】
2006115879.tif 000025
【図３８】
2006115879.tif 000026
【図７】
2006115879.tif 000027
【図８】
2006115879.tif 000028
【図１０】
2006115879.tif 000029
【図１１】
2006115879.tif 000030
【図１８】
2006115879.tif 000031
【図１９】
2006115879.tif 000032
【図２１】
2006115879.tif 000033
【図２２】
2006115879.tif 000034
【図３０】
2006115879.tif 000035
【図３１】
2006115879.tif 000036
【図３３】
2006115879.tif 000037
【図３４】
2006115879.tif 000038
【図３５】
2006115879.tif 000039
【図３６】
2006115879.tif 000040
【図３９】
2006115879.tif 000041